(57)【特許請求の範囲】
【請求項１】
現金の入出取引が可能であって入出取引時に操作者によるデータ入力を受け付ける操作手段を有しフロア上を走行移動可能な現金管理装置と、
ＡＣ電源をＤＣ電源に変換する位置固定の電源ユニット装置と、
前記現金管理装置が前記電源ユニット装置からのＤＣ電源の供給を受けることが可能な所定のセット位置にセットされたか否かを検出するセット検出手段と、を備え、
前記電源ユニット装置は、前記現金管理装置が前記セット位置にセットされたことを前記セット検出手段が検出すると前記現金管理装置にＤＣ電源を供給する電源供給手段を有し、
前記現金管理装置は、前記電源供給手段からのＤＣ電源の供給を受けている状態で現金の入出取引が可能となることを特徴とする現金管理装置システム。
【請求項２】
前記現金管理装置が前記セット位置にセットされたことを前記セット検出手段が検出すると、前記電源ユニット装置に対して前記現金管理装置を移動不可にロックするロック手段を備えることを特徴とする請求項１記載の現金管理装置システム。
【請求項３】
前記ロック手段は前記電源ユニット装置に設けられており、
前記現金管理装置は、該現金管理装置の主電源のオンオフ状態を検出する主電源状態検出手段を有し、前記主電源がオン状態からオフ状態になったことを前記主電源状態検出手段が検出すると前記電源ユニット装置に通知を行い、
前記電源ユニット装置は、前記通知を受けると前記ロック手段による前記ロックを解除することを特徴とする請求項２記載の現金管理装置システム。
【請求項４】
前記ロック手段は前記現金管理装置に設けられており、
前記現金管理装置は、該現金管理装置の主電源のオンオフ状態を検出する主電源状態検出手段を有し、前記主電源がオン状態からオフ状態になったことを前記主電源状態検出手段が検出すると、前記ロック手段による前記ロックを解除することを特徴とする請求項２記載の現金管理装置システム。
【発明の詳細な説明】
【技術分野】
【０００１】
本発明は、現金の入出取引が可能な現金管理装置システムに関する。
【背景技術】
【０００２】
底部に車輪を備えており、取っ手としてのバーが設けられていて、係員がバーを押したり引いたりして移動させる現金管理装置がある（例えば特許文献１参照）。
【先行技術文献】
【特許文献】
【０００３】
【特許文献１】特開２００８−３１０５１９号公報
【発明の概要】
【発明が解決しようとする課題】
【０００４】
この種の現金管理装置は、電源コードを商用ＡＣ電源用のコンセントに接続することで動作するようになっているため、ＡＣ電源をＤＣ電源に変換するＡＣ／ＤＣコンバータを含む電源関連部品が多く搭載されており、重量増の一因となっている。一方で、人力で移動させられるものであることから、重量増は、移動の作業性低下に直接繋がることになり好ましくない。
【０００５】
本発明は、上記の点に鑑みなされたもので、移動の作業性向上を図ることができる現金管理装置システムの提供を目的とする。
【課題を解決するための手段】
【０００６】
上記目的を達成するために、請求項１に係る発明は、現金の入出取引が可能であって入出取引時に操作者によるデータ入力を受け付ける操作手段を有しフロア上を走行移動可能な現金管理装置と、ＡＣ電源をＤＣ電源に変換する位置固定の電源ユニット装置と、前記現金管理装置が前記電源ユニット装置からのＤＣ電源の供給を受けることが可能な所定のセット位置にセットされたか否かを検出するセット検出手段と、を備え、前記電源ユニット装置は、前記現金管理装置が前記セット位置にセットされたことを前記セット検出手段が検出すると前記現金管理装置にＤＣ電源を供給する電源供給手段を有し、前記現金管理装置は、前記電源供給手段からのＤＣ電源の供給を受けている状態で現金の入出取引が可能となることを特徴とする。
【０００７】
請求項２に係る発明は、請求項１に係る発明において、前記現金管理装置が前記セット位置にセットされたことを前記セット検出手段が検出すると、前記電源ユニット装置に対して前記現金管理装置を移動不可にロックするロック手段を備えることを特徴とする。
【０００８】
請求項３に係る発明は、請求項２に係る発明において、前記ロック手段は前記電源ユニット装置に設けられており、前記現金管理装置は、該現金管理装置の主電源のオンオフ状態を検出する主電源状態検出手段を有し、前記主電源がオン状態からオフ状態になったことを前記主電源状態検出手段が検出すると前記電源ユニット装置に通知を行い、前記電源ユニット装置は、前記通知を受けると前記ロック手段による前記ロックを解除することを特徴とする。
請求項４に係る発明は、請求項２に係る発明において、前記ロック手段は前記現金管理装置に設けられており、前記現金管理装置は、該現金管理装置の主電源のオンオフ状態を検出する主電源状態検出手段を有し、前記主電源がオン状態からオフ状態になったことを前記主電源状態検出手段が検出すると、前記ロック手段による前記ロックを解除することを特徴とする。
【発明の効果】
【０００９】
請求項１に係る発明によれば、現金の入出取引が可能でフロア上を走行移動可能な現金管理装置が、位置固定の電源ユニット装置からのＤＣ電源の供給を受けることが可能な所定のセット位置にセットされると、セット検出手段がこれを検出する。すると、電源ユニット装置でＡＣ電源から変換したＤＣ電源を電源ユニット装置の電源供給手段が現金管理装置に供給することになり、これにより、現金管理装置は現金の入出取引が可能な状態になる。このように、ＡＣ電源をＤＣ電源に変換する電源ユニット装置を、フロア上を走行移動可能な現金管理装置とは別にして、位置固定で設けるため、現金管理装置の重量増を抑制することができる。よって、移動の作業性向上を図ることができる。
【００１０】
請求項２に係る発明によれば、現金管理装置が電源ユニット装置からのＤＣ電源の供給を受けることが可能な所定のセット位置にセットされ、セット検出手段がこれを検出すると、ロック手段が電源ユニット装置に対して現金管理装置を移動不可にロックする。よって、不用意に現金管理装置が移動して電源ユニット装置の電源供給手段からのＤＣ電源の供給が絶たれてしまうことを抑制できる。したがって、現金管理装置によって安全に現金を管理することができる。
【００１１】
請求項３に係る発明によれば、現金管理装置の主電源がオン状態からオフ状態になったことを主電源状態検出手段が検出すると、ロック手段がロックを解除する。よって、主電源のオン中はロック状態が維持されて不用意に現金管理装置が移動して電源ユニット装置の電源供給手段からのＤＣ電源の供給が絶たれてしまうことを抑制できる。したがって、現金管理装置によって安全に現金を管理することができる。
【図面の簡単な説明】
【００１２】
【図１】本発明の一実施形態に係る現金管理装置システムにおける現金管理装置のセット状態を示すものであって、（ａ）は側面図、（ｂ）は正面図である。
【図２】本発明の一実施形態に係る現金管理装置システムの側面図であって現金管理装置の非セット状態を示すものである。
【図３】本発明の一実施形態に係る現金管理装置システムを示す制御系のブロック図である。
【図４】本発明の一実施形態に係る現金管理装置システムの小束収納庫を示す斜視図である。
【図５】本発明の一実施形態に係る現金管理装置システムの棒金収納庫を示す斜視図である。
【図６】本発明の一実施形態に係る現金管理装置システムの電源ユニット装置を示す平面図である。
【発明を実施するための形態】
【００１３】
本発明の一実施形態に係る現金管理装置システムを図面を参照して以下に説明する。
【００１４】
本実施形態に係る現金管理装置システム１は、現金の入出取引が可能であって図１および図２に示すようにフロアＦ上を走行移動可能な現金管理装置２と、商用のＡＣ電源をＤＣ電源に変換する位置固定の電源ユニット装置３とを備えている。現金管理装置２は、電源ユニット装置３から供給されるＤＣ電源で作動する。現金管理装置２は、店舗の係員側スペースに設置されて係員により取り扱われるものであり、より窓口カウンタに近い位置で主に小束紙幣および棒金を入出庫可能に収納するものである。電源ユニット装置３はこの窓口カウンタに近い位置に設置されている。
【００１５】
現金管理装置２は、箱型の現金管理装置本体１１とこの現金管理装置本体１１に上下方向に複数段具体的には５段設けられた収納庫１２とを有している。これら収納庫１２は、その左右側壁に設けられた図示略のスライドレールを介して現金管理装置本体１１に対して水平前後方向にスライド開閉可能となっている。これら収納庫１２は、現金管理装置本体１１から引き出されて開状態となり、現金管理装置本体１１に押し込まれて閉状態となる。すべての収納庫１２が、このように前後方向にのみ所定範囲で移動可能となるように現金管理装置本体１１に連結されている。これら収納庫１２は、開状態で現金が出し入れ可能となる一方、閉状態では現金の出し入れが不可となる。現金管理装置２において収納庫１２の引き出し方向の手前側の面が操作者側の前面５となっている。
【００１６】
複数段の収納庫１２のうち、最も上側のものは、バラ貨幣収納庫１２（ａ）となっており、結束されていないバラ紙幣、包装されていないバラ硬貨、汚損紙幣や汚損硬貨、金券等を収納する。また、残りの収納庫１２は、上側２段が小束紙幣を収納する小束収納庫１２（ｂ）となっており、下側２段が棒金を収納する棒金収納庫１２（ｃ）となっている。勿論、収納庫１２の全体の数や、そのうちの小束収納庫１２（ｂ）および棒金収納庫１２（ｃ）の個々の数等は任意に設定可能であり、例えば、バラ貨幣収納庫１２（ａ）以外の全てを、小束収納庫１２（ｂ）としたり、棒金収納庫１２（ｃ）としたりすることも勿論可能である。ただし、人力によりフロアＦ上を走行移動させられることから、バラ貨幣収納庫１２（ａ）を１段、小束収納庫１２（ｂ）を２段、棒金収納庫１２（ｃ）を２段とするのが重量的に好ましい。
【００１７】
現金管理装置本体１１の上部の前面５側には、現金管理装置２を移動させる際に操作者により把持されるハンドルバー１５が左右方向に延在して取り付けられている。現金管理装置本体１１の上部には、ハンドルバー１５よりも後面６側に、現金管理装置本体１１に着脱不可の操作入力部１６が取り付けられており、操作入力部１６よりも後面６側に、端末装着部１７が設けられている。端末装着部１７には操作端末装置１８が着脱可能に設けられている。
【００１８】
現金管理装置本体１１の操作入力部１６には、現金管理装置２の主電源のオン操作が入力される図３に示す主電源オンスイッチ１９（主電源状態検出手段）等が設けられている。操作端末装置１８は、現金管理装置２の主電源のオフ操作を含む種々の操作が入力されるタッチパネル式操作表示部２０（主電源状態検出手段）を有している。タッチパネル式操作表示部２０は、操作者による操作入力を受け付けるとともに操作者に対して画面表示を行う。操作端末装置１８は、端末装着部１７に装着された状態では有線で、端末装着部１７から取り外された状態では無線で、現金管理装置本体１１とのデータ通信を行うようになっている。
【００１９】
現金管理装置本体１１の下部には、フロアＦ上で転動するローラ３７を有するキャスタ３８が四隅位置に設けられている。すべてのキャスタ３８は、ローラ３７が鉛直軸を中心に水平旋回自在となっており、水平軸を中心に回転可能となっている。
【００２０】
現金管理装置本体１１には、全ての収納庫１２のそれぞれに対して、収納庫１２を閉状態で個別にロックする図３に示すロック機構２２が設けられている。言い換えれば、ロック機構２２は、複数の収納庫１２のそれぞれに設けられて収納庫１２を現金管理装置本体１１に閉状態でロックする。現金管理装置本体１１には、図１（ｂ）に示すように複数の収納庫１２のそれぞれの側方に、ロック機構２２のロック解除時のみ点灯する表示灯２３が設けられている。
【００２１】
現金管理装置本体１１には、図３に示すように、操作入力部１６、操作端末装置１８、ロック機構２２および表示灯２３に接続されてこれらを制御する現金管理側制御部２５（主電源状態検出手段）と、収納しているバラ紙幣、バラ硬貨、棒金および小束紙幣のそれぞれの数量情報および種類情報や処理関連のデータ等を記憶する記憶部２６と、外部からＤＣ電源が供給されない状態でも現金管理側制御部２５を作動可能とする内蔵バッテリ２７と、が設けられている。現金管理側制御部２５は、複数のロック機構２２のロックを個別に解除可能となっており、記憶部２６を用いて複数の収納庫１２の現金の収納量つまり在り高を個別に管理する。
【００２２】
操作入力部１６には、現金管理装置２の主電源のオン操作が入力される主電源オンスイッチ１９が設けられている。現金管理側制御部２５は、主電源オンスイッチ１９がオン操作されると、現金管理装置２の主電源をオンすることになり、タッチパネル式操作表示部２０に主電源のオフ操作が入力されると、現金管理装置２の主電源をオフすることになる。
【００２３】
現金管理側制御部２５は、主電源オンスイッチ１９への主電源のオン操作およびタッチパネル式操作表示部２０への主電源のオフ操作に基づいて現金管理装置２の主電源のオンオフ状態を検出する。つまり、現金管理装置２がＤＣ電源の供給を受けている状態で、主電源オンスイッチ１９に主電源のオン操作がされてからタッチパネル式操作表示部２０に主電源のオフ操作がされるまでの間は主電源がオン状態にあることを検出する。また、タッチパネル式操作表示部２０に主電源のオフ操作がされてから、現金管理装置２がＤＣ電源の供給を受けている状態で主電源オンスイッチ１９に主電源のオン操作がされるまでは、主電源がオフ状態にあることを検出している。現金管理側制御部２５は、これらの検出結果を記憶部２６に記憶させる。
【００２４】
収納庫１２は、図４に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図４に示す小束収納庫１２（ｂ）と図５に示す棒金収納庫１２（ｃ）とで共通となっている。小束収納庫１２（ｂ）および棒金収納庫１２（ｃ）を構成する各収納庫１２と現金管理装置本体１１との間には、現金管理装置本体１１に対する各収納庫１２の引き出し位置を検出する図４に示す引出位置検出機構３５が設けられている。引出位置検出機構３５は、各収納庫１２が現金管理装置本体１１に最も押し込まれた全閉位置にあること、および、収納庫１２が現金管理装置本体１１から最も引き出された全開位置にあることを含んで各収納庫１２の引き出し位置を検出する。
【００２５】
図４に示すように、小束収納庫１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣（貨幣）を所定枚数（１００枚）集積し、規定位置に結束テープｔを巻回して、この結束テープｔを接着することで形成されるものである。
【００２６】
各小束トレイ４０は、上方に開口し下方に凹む形状をなすトレイ本体４１と、トレイ本体４１に、その後壁部４２と平行を維持しつつ前後移動可能に設けられた札押さえ板４３と、札押さえ板４３を後壁部４２に向けて付勢する図示略の付勢部材とを有している。各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部に載置され、後壁部４２と札押さえ板４３とに挟持されて収納されることになる。各小束トレイ４０に収納すべき設定金種を示す収納金種データは、予め設定されて記憶部２６に記憶されることになる。
【００２７】
図５に示すように、棒金収納庫１２（ｃ）は、単一金種の硬貨（貨幣）が所定枚数（５０枚）集積されて包装紙で包装されてなる棒金Ｂを入出庫可能に収納するもので、上記した枠体３４内に固定される複数、具体的には、前後に金種径に応じて６つまたは５つ、左右に４列の合成樹脂製の棒金トレイ５０を有している。
【００２８】
棒金トレイ５０は、棒金Ｂが中心軸線を上下にした立位状態で収納されるものである。棒金トレイ５０は、下方に凹む上方開口形状の棒金収納凹部５１を構成している。棒金トレイ５０の棒金収納凹部５１には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。棒金Ｂは、棒金収納凹部５１に、その上部開口を介して上方から挿入されることになり、棒金収納凹部５１および他の棒金Ｂで支持されて中心軸線を鉛直配置した立位状態に維持される。ここで、最前列の棒金トレイ５０は、端数用となっており、棒金Ｂの転倒防止用の複数の補助棒５２が立設されていて、収納本数が不足した状態でも棒金Ｂを倒さずに収納可能となっている。各棒金トレイ５０に収納すべき設定金種を示す収納金種データは、予め設定されて記憶部２６に記憶されることになる。
【００２９】
現金管理装置本体１１の各小束収納庫１２（ｂ）が挿入される部分の上部の前端部には、小束収納庫１２（ｂ）の左右２列の小束トレイ４０のそれぞれの上方近接位置に、小束収納庫１２（ｂ）に収納された小束紙幣Ｔの左端位置を検出する図４に示す左端検出ラインセンサ６１、小束紙幣Ｔの左側に結束テープｔつまり帯がある場合にこれを検出する左側帯検出ラインセンサ６２、小束紙幣Ｔの右側に結束テープｔがある場合にこれを検出する右側帯検出ラインセンサ６３および小束紙幣Ｔの右端位置を検出する右端検出ラインセンサ６４が、それぞれ検出素子を左右方向に並べた状態で固定されている。
【００３０】
小束収納庫１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、各列用の左端検出ラインセンサ６１、左側帯検出ラインセンサ６２、右側帯検出ラインセンサ６３および右端検出ラインセンサ６４が、この小束収納庫１２（ｂ）に収納された小束紙幣Ｔの上端部の反射光データを取得することになる。
【００３１】
現金管理側制御部２５は、引出位置検出機構３５の検出結果と、各列用の左端検出ラインセンサ６１、左側帯検出ラインセンサ６２、右側帯検出ラインセンサ６３および右端検出ラインセンサ６４の検出結果とに基づいて小束収納庫１２（ｂ）内の小束紙幣Ｔの数量および金種を取得する。すなわち、現金管理側制御部２５は、右側帯検出ラインセンサ６３および右端検出ラインセンサ６４の検出結果から帯の数つまり束数を取得し、左端検出ラインセンサ６１および左側帯検出ラインセンサ６２の検出結果から長さつまり金種を取得する。このようにして、現金管理側制御部２５は、各小束収納庫１２（ｂ）内の小束紙幣Ｔの各金種別の束数、合計金額等の在り高を管理する。
【００３２】
現金管理装置本体１１の各棒金収納庫１２（ｃ）が挿入される部分の上部の前端部には、棒金収納庫１２（ｃ）の左右４列の棒金トレイ５０の上方近接位置に、棒金収納庫１２（ｃ）に収納された棒金Ｂの上端部を検出する光学反射型の棒金検出ラインセンサ６８が、検出素子を左右方向に並べた状態でそれぞれ固定されている。
【００３３】
棒金収納庫１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金検出ラインセンサ６８が、この棒金収納庫１２（ｃ）に収納された棒金Ｂの上端部の反射光データを取得することになる。
【００３４】
現金管理側制御部２５は、引出位置検出機構３５の検出結果と、棒金検出ラインセンサ６８の検出結果とに基づいて棒金収納庫１２（ｃ）内の棒金Ｂの数量および金種を取得する。すなわち、現金管理側制御部２５は、棒金検出ラインセンサ６８の反射光データから割り出される棒金Ｂの部分および棒金Ｂ以外の部分から数量を取得したり、反射光データの光量の変化から硬貨部分を計数することで数量を取得したり、反射光データから割り出される棒金Ｂの径の最大値から金種を取得したり、反射光データの光量（反射度合い）から硬貨の材質を割り出して金種を取得したりする。このようにして、現金管理側制御部２５は、各棒金収納庫１２（ｃ）内の棒金Ｂの各金種別の本数、合計金額等の在り高を管理する。
【００３５】
現金管理側制御部２５は、バラ貨幣収納庫１２（ａ）の在り高については、バラ貨幣収納庫１２（ａ）へのバラ紙幣、バラ硬貨の入出庫を含む入出取引の際に、操作端末装置１８あるいは操作入力部１６を介して入力される、バラ紙幣の入庫数、バラ紙幣の出庫数、バラ硬貨の入庫数およびバラ硬貨の出庫数等に基づいて在り高を管理する。
【００３６】
また、現金管理装置本体１１には、全ての収納庫１２のそれぞれに対して、収納庫１２を閉状態で個別にロックする上記したロック機構２２が設けられている。各ロック機構２２は、それぞれ、給電されるとロックを解除して対応する収納庫１２を引き出し可能とし開作動を許容する状態となる。また、各ロック機構２２は、それぞれ、対応する収納庫１２の引き出し後に給電が停止されることになり、その後は、対応する収納庫１２が全閉位置に戻されると収納庫１２を引き出し不可に自動的かつ機械的にロックする。
【００３７】
以上の構成の本実施形態に係る現金管理装置２は、操作者が、例えば、他の入出金機に現金を補充したり、顧客に現金を渡したり、顧客から預かった現金を収納したり、顧客から受け取った現金貨幣を同額の異金種の貨幣へ両替する際等に使用される。つまり、現金管理装置２は、操作者が、バラ硬貨、バラ紙幣、棒金Ｂおよび小束紙幣Ｔのうちの少なくともいずれか一つを現金管理装置２から取り出す出庫時、現金管理装置２にバラ硬貨、バラ紙幣、棒金Ｂおよび小束紙幣Ｔのうちの少なくともいずれか一つを収納する入庫時、および入庫と出庫とを同時並行で行う入庫・出庫時のいずれかからなる入出取引時に使用される。
【００３８】
まず、一の入出取引の開始にあたって、操作者が、操作端末装置１８あるいは操作入力部１６に操作者識別データを入力する。すると、現金管理側制御部２５が、入力された操作者識別データが適正であるか否かを判定する。入力された操作者識別データが適正である場合、現金管理側制御部２５は、一の入出取引のデータ入力を促す表示を、操作端末装置１８に表示させる。これを見た操作者によって操作端末装置１８あるいは操作入力部１６にデータ入力が行われると、現金管理側制御部２５は、この一の入出取引のデータを記憶部２６に記憶する。
【００３９】
現金管理側制御部２５は、この一の入出取引にて入力されたデータに基づいて、バラ貨幣収納庫１２（ａ）、全ての小束収納庫１２（ｂ）および全ての棒金収納庫１２（ｃ）の中から、この一の入出取引にて現金が入出庫される対象収納庫１２をロックしているロック機構２２のロックを解除して、対象収納庫１２を現金管理装置本体１１から引き出し可能とする。
【００４０】
例えば、この一の入出取引にて入力されたデータに、バラ紙幣およびバラ硬貨の少なくともいずれか一方に関するものが含まれる場合、現金管理側制御部２５は、バラ貨幣収納庫１２（ａ）を対象収納庫１２とし、このバラ貨幣収納庫１２（ａ）をロックしているロック機構２２のロックを解除する。これにより、このバラ貨幣収納庫１２（ａ）が現金管理装置本体１１から引き出し可能となる。それとともに、現金管理側制御部２５は、このバラ貨幣収納庫１２（ａ）用のその側方にある表示灯２３を点灯させる。
【００４１】
また、例えば、この一の入出取引にて入力されたデータに、小束紙幣Ｔに関するものが含まれる場合、現金管理側制御部２５は、含まれる金種の小束紙幣Ｔを収納している小束収納庫１２（ｂ）を対象収納庫１２とし、この小束収納庫１２（ｂ）をロックしているロック機構２２のロックを解除する。これにより、この小束収納庫１２（ｂ）が現金管理装置本体１１から引き出し可能となる。それとともに、現金管理側制御部２５は、この小束収納庫１２（ｂ）用のその側方にある表示灯２３を点灯させる。
【００４２】
また、例えば、この一の入出取引にて入力されたデータに、棒金Ｂに関するものが含まれる場合、現金管理側制御部２５は、含まれる金種の棒金Ｂを収納している棒金収納庫１２（ｃ）を対象収納庫１２とし、この棒金収納庫１２（ｃ）をロックしているロック機構２２のロックを解除する。これにより、この棒金収納庫１２（ｃ）が現金管理装置本体１１から引き出し可能となる。それとともに、現金管理側制御部２５は、この棒金収納庫１２（ｃ）用のその側方にある表示灯２３を点灯させる。
【００４３】
操作者は、対象収納庫１２を引き出し開状態として、現金を取り出したり装填したりする入出庫作業を行う。
【００４４】
例えば、対象収納庫１２が一の小束収納庫１２（ｂ）である場合、現金管理側制御部２５は、この一の小束収納庫１２（ｂ）をロックしているロック機構２２を駆動してロックを解除するとともに、この一の棒金収納庫１２（ｃ）用の表示灯２３を点灯させることになる。そして、この一の小束収納庫１２（ｂ）の現金管理装置本体１１からの引き出しが開始されたことを引出位置検出機構３５の検出結果から検出すると、この一の小束収納庫１２（ｂ）用のロック機構２２の駆動を終了する。
【００４５】
その後、引出位置検出機構３５が、この一の小束収納庫１２（ｂ）について、全開状態になったことを検出した後、閉方向の移動開始を検出すると、現金管理側制御部２５は、この一の小束収納庫１２（ｂ）に対して設けられた小束セット検出センサ６６、左端検出ラインセンサ６１、左側帯検出ラインセンサ６２、右側帯検出ラインセンサ６３および右端検出ラインセンサ６４の組の左右二組について、これらに給電してこれらによる反射光データの取り込みを開始させる。そして、引出位置検出機構３５がこの一の小束収納庫１２（ｂ）が全閉状態になったことを検出すると、現金管理側制御部２５は、反射光データの取り込みを終了させるとともに、この一の小束収納庫１２（ｂ）用の表示灯２３を消灯させる。この一の小束収納庫１２（ｂ）が全閉状態になると、この一の小束収納庫１２（ｂ）用のロック機構２２がこれを自動的にロックする。
【００４６】
そして、現金管理側制御部２５は、上記した反射光データから、この一の小束収納庫１２（ｂ）に収納された小束紙幣Ｔの金種別の数量データを取得し、この金種別の数量データと、前回のこの一の小束収納庫１２（ｂ）の金種別の数量データとから、増減分を割り出す。そして、現金管理側制御部２５は、この増減分を、今回の一の入出取引に対して入力されたデータと照合して差異があるか否かを判定し、差異がなければ、今回の一の入出取引の終了を判定する。
【００４７】
また、対象収納庫１２が一の棒金収納庫１２（ｃ）である場合、現金管理側制御部２５は、この一の棒金収納庫１２（ｃ）について、引出位置検出機構３５が、全開状態になったことを検出した後、閉方向の移動開始を検出すると、この一の棒金収納庫１２（ｃ）に対して設けられた棒金検出ラインセンサ６８に給電して棒金検出ラインセンサ６８による反射光データの取り込みを開始させることになり、引出位置検出機構３５が、この一の棒金収納庫１２（ｃ）が全閉位置になったことを検出すると、反射光データの取り込みを終了させるとともに、この一の小束収納庫１２（ｂ）用の表示灯２３を消灯させる。
【００４８】
そして、現金管理側制御部２５は、上記した反射光データから、この一の棒金収納庫１２（ｃ）に収納された棒金Ｂの金種別の数量データを取得し、この金種別の数量データと、前回のこの一の棒金収納庫１２（ｃ）の金種別の数量データとから、増減分を割り出す。そして、現金管理側制御部２５は、この増減分を、今回の一の入出取引に対して入力されたデータと照合して差異があるか否かを判定し、差異がなければ、今回の一の入出取引の終了を判定する。
【００４９】
図２に示すように、フロアＦ上を走行移動可能な現金管理装置２には、現金管理装置本体１１の下部の後面６側にスライドピン７１が設けられている。これに対応して、位置固定の電源ユニット装置３の上部にはガイドレール７２が設けられている。図６に示すように、スライドピン７１は左右一対設けられており、ガイドレール７２も左右一対、互いに平行に設けられている。
【００５０】
ガイドレール７２には、スライドピン７１の水平移動を案内する溝７３が形成されている。ガイドレール７２の長さ方向の一端側には、端側ほど溝７３の幅が拡大する入口部７４が形成されている。ガイドレール７２の入口部７４以外の本体部７５は、入口部７４の最小幅部分と同幅となっており、本体部７５の入口部７４とは反対側の端部は、溝７３を閉塞する末端壁部７６となっている。
【００５１】
現金管理装置２を現金の入出取引が可能な状態とするためには、操作者が現金管理装置２をフロアＦ上で走行移動させて、現金管理装置２の一対のスライドピン７１を、位置固定の電源ユニット装置３の一対のガイドレール７２の溝７３に入口部７４側から挿入し、入口部７４とは反対側の末端壁部７６に当接して停止するまで移動させる。このように一対のスライドピン７１が一対のガイドレール７２の末端壁部７６に当接すると、現金管理装置２が電源ユニット装置３に対して所定のセット位置にセットされることになる。一対のスライドピン７１および一対のガイドレール７２は、現金管理装置２の電源ユニット装置３に対する上記セット位置への移動をガイドするガイド機構７７を構成している。なお、図示は略すが、フロアＦには、セット時における現金管理装置２の移動を案内するガイドライン表示があり、このガイドライン表示に合せるように現金管理装置２を移動させると、一対のスライドピン７１を一対のガイドレール７２に入口部７４側から進入させることができるようになっている。
【００５２】
図２に示すように、現金管理装置本体１１の下部のスライドピン７１よりも前面５側にはローラ８１が設けられている。これに対応して、電源ユニット装置３の上部には、リミットスイッチであるセット検出スイッチ８２（セット検出手段）が設けられている。セット検出スイッチ８２は、図１（ａ）に示すように現金管理装置２が上記セット位置にセットされた時に、ローラ８１が乗り上げることでオンされ、現金管理装置２が上記セット位置にないときにはオフ状態となる。つまり、セット検出スイッチ８２は、現金管理装置２が上記セット位置にセットされたか否かを検出する。セット検出スイッチ８２としては、現金管理装置２が上記セット位置にセットされたか否かを検出できれば良く、リミットスイッチ以外にも、マイクロスイッチ、近接スイッチ、光電スイッチを用いることが可能である。セット検出スイッチ８２は、図６に示すように、電源ユニット装置３における一対のガイドレール７２の左右方向の間位置に設けられている。
【００５３】
図２に示すように、現金管理装置本体１１の下部のスライドピン７１よりも後面６側には、ＤＣ電源の供給を受けるための受電部８５が設けられている。これに対応して、電源ユニット装置３の上部には、給電部８６（電源供給手段）が設けられている。給電部８６は、図１（ａ）に示すように、現金管理装置２が上記セット位置にセットされた時に、受電部８５が乗り上げるように接触して通電可能となり、現金管理装置２が上記セット位置にないときには受電部８５に接触せず通電可能とはならない。よって、現金管理装置２の上記セット位置は、電源ユニット装置３からのＤＣ電源の供給を受けることが可能な位置である。給電部８６は、図６に示すように、電源ユニット装置３における一対のガイドレール７２の左右方向の間位置に設けられている。電源ユニット装置３には、給電部８６からこれに接触する受電部８５を介して現金管理装置２に供給するＤＣ電源を制御する図３に示す電源側制御部８７（電源供給手段）が設けられている。
【００５４】
ここで、給電部８６および受電部８５は接触して給電可能となるが、非接触で給電可能となる電磁式のものを用いることも可能である。また、給電部８６および受電部８５は、現金管理装置２が上記セット位置にセットされた時に互いに近接して通電可能となれば良く、例えば、受電部８５を現金管理装置本体１１の側面に設け、建物の壁側に給電部８６を設ける等の変更が可能である。
【００５５】
図２に示すように、現金管理装置本体１１の下部のスライドピン７１とローラ８１との間には、上方に凹むロック穴９３が形成されている。これに対応して、電源ユニット装置３には、進退可能なロッド９１を有するロックソレノイド９２（ロック手段）が設けられている。ロックソレノイド９２は、図１（ａ）に示すように、現金管理装置２が上記セット位置にセットされた時に、そのロッド９１がロック穴９３と水平方向の位置を合せることになり、この状態でロッド９１が上方に突出するとロック穴９３に進入する。すると、ロッド９１が現金管理装置２を電源ユニット装置３に対して水平移動不可にロックすることになる。
【００５６】
ロックソレノイド９２への給電制御で、ロッド９１は、上方に突出してロック穴９３に進入し現金管理装置２を電源ユニット装置３に対して水平移動不可にロックすることになり、下方に引き込まれロック穴９３から抜け出して現金管理装置２を電源ユニット装置３に対して移動可能となるようにロックを解除する。ロックソレノイド９２は、図６に示すように、電源ユニット装置３における一対のガイドレール７２の左右方向の間位置に設けられている。セット検出スイッチ８２、給電部８６およびロックソレノイド９２は、互いに左右方向の位置を合せており、一対のガイドレール７２の左右方向の中央位置に設けられている。
【００５７】
現金管理装置２を現金の入出取引が可能な状態とするために、操作者は、ハンドルバー１５を把持して現金管理装置２をフロアＦ上で走行移動させ、現金管理装置２の一対のスライドピン７１を電源ユニット装置３の一対のガイドレール７２の溝７３内に挿入し、一対のスライドピン７１が一対のガイドレール７２の一対の末端壁部７６に当接して停止するまで移動させる。これにより、現金管理装置２が電源ユニット装置３に対して電源ユニット装置３からのＤＣ電源の供給を受けることが可能な上記セット位置にセットされることになる。
【００５８】
一対のスライドピン７１が一対のガイドレール７２の一対の末端壁部７６に当接すると、電源ユニット装置３のセット検出スイッチ８２に、現金管理装置２のローラ８１が乗り上げて、セット検出スイッチ８２がオンされる。このようなオフからオンへの切り替えにより、セット検出スイッチ８２は、現金管理装置２が、電源ユニット装置３からのＤＣ電源の供給を受けることが可能なセット位置にない状態からこのセット位置にセットされたことを検出する。また、一対のスライドピン７１が一対のガイドレール７２の一対の末端壁部７６に当接すると、電源ユニット装置３の給電部８６に、現金管理装置２の受電部８５が乗り上げて、これらが通電可能に接触する状態となる。
【００５９】
上記のようにセット検出スイッチ８２がオンされたこと、つまり現金管理装置２がセット位置にセットされたことを検出すると、電源ユニット装置３の電源側制御部８７が、給電部８６を外部にＤＣ電源を供給可能な状態とする。その結果、電源側制御部８７は、給電部８６に接触している受電部８５を介して現金管理装置２にＤＣ電源を供給する。ここで、セット検出スイッチ８２がオンされなければ、電源側制御部８７は、給電部８６を外部にＤＣ電源を供給可能な状態とすることはない。
【００６０】
また、上記のようにセット検出スイッチ８２がオンされたこと、つまり現金管理装置２がセット位置にセットされたことを検出すると、電源ユニット装置３の電源側制御部８７は、上記のように給電部８６を外部にＤＣ電源を供給可能な状態とするのと同時に、ロックソレノイド９２の給電を制御して、それまで引き込まれた状態にあったロッド９１を突出させる。これにより、ロッド９１が現金管理装置２のロック穴９３に進入し、現金管理装置２を電源ユニット装置３に対して水平移動不可にロックすることになる。その結果、現金管理装置２は、電源ユニット装置３からのＤＣ電源の供給を受けることが可能なセット位置に固定された状態となる。つまり、ロックソレノイド９２は、現金管理装置２が上記セット位置にセットされたことをセット検出スイッチ８２が検出すると、電源ユニット装置３に対して現金管理装置２を水平移動不可にロックする。
【００６１】
電源ユニット装置３からのＤＣ電源の供給を受ける状態になると、現金管理装置２の現金管理側制御部２５は、操作入力部１６に設けられた主電源オンスイッチ１９のオン操作を受け付ける状態となり、この状態で主電源オンスイッチ１９のオン操作がなされると、現金管理装置２のそれまでオフ状態だった主電源をオン状態とする。現金管理側制御部２５は、このように現金管理装置２がＤＣ電源の供給を受けている状態で主電源オンスイッチ１９に主電源のオン操作がされると、それまで主電源のオフ状態を検出している状態から主電源のオン状態を検出する状態となる。
【００６２】
現金管理側制御部２５は、主電源のオン状態を検出する状態では、電源ユニット装置３から供給されているＤＣ電源によって、操作入力部１６、操作端末装置１８、ロック機構２２、表示灯２３、記憶部２６、引出位置検出機構３５、左端検出ラインセンサ６１、左側帯検出ラインセンサ６２、右側帯検出ラインセンサ６３、右端検出ラインセンサ６４および棒金検出ラインセンサ６８に給電できる状態になる。つまり、現金管理装置２は、電源ユニット装置３からＤＣ電源が供給され、主電源がオンの状態に限り、上記した現金の入出取引が可能になる。
【００６３】
現金管理装置２を営業終了後に金庫室にしまう時等、電源ユニット装置３から現金管理装置２を取り外すときには、操作者が操作端末装置１８のタッチパネル式操作表示部２０を操作して、主電源のオフ操作（シャットダウン操作）を行う。現金管理側制御部２５は、このように現金管理装置２がＤＣ電源の供給を受けている状態で操作端末装置１８のタッチパネル式操作表示部２０に主電源のオフ操作が入力されると、それまで主電源のオン状態を検出している状態から主電源のオフ状態を検出する状態となる。
【００６４】
現金管理側制御部２５は、主電源のオフ状態を検出する状態では、電源ユニット装置３からＤＣ電源が供給されていても、操作入力部１６、操作端末装置１８、ロック機構２２、表示灯２３、記憶部２６、引出位置検出機構３５、左端検出ラインセンサ６１、左側帯検出ラインセンサ６２、右側帯検出ラインセンサ６３、右端検出ラインセンサ６４および棒金検出ラインセンサ６８に給電できない状態になる。つまり、現金管理装置２は、電源ユニット装置３からＤＣ電源が供給されていても、主電源がオフの状態になると、上記した現金の入出取引が不可になる。
【００６５】
また、現金管理側制御部２５は、主電源がオン状態からオフ状態になったことを検出すると、受電部８５および給電部８６の電気的接続を使用してその旨の信号を電源側制御部８７に送信する。すると、電源側制御部８７は、ロックソレノイド９２への給電を制御して、それまで突出する状態にあったロッド９１を引っ込ませる。これにより、ロッド９１が現金管理装置２のロック穴９３から抜け出し、現金管理装置２の電源ユニット装置３に対するロックを解除して、現金管理装置２を水平移動可能にする。その結果、現金管理装置２は上記セット位置から一対のガイドレール７２に沿って水平移動可能となり、一対のガイドレール７２から一対のスライドピン７１が抜け出すと、フロアＦ上を走行移動可能な状態となる。つまり、ロックソレノイド９２は、現金管理装置２の主電源がオン状態からオフ状態になったことを現金管理側制御部２５が検出すると、電源ユニット装置３に対する現金管理装置２のロックを解除する。現金管理装置２の上記セット位置からの移動により、電源ユニット装置３のセット検出スイッチ８２から現金管理装置２のローラ８１が離れる。すると、電源ユニット装置３の電源側制御部８７が、給電部８６を外部にＤＣ電源を供給不可な状態とする。
【００６６】
なお、現金管理装置２の重量は若干増大するものの、ロックソレノイド９２を現金管理装置２に設け、電源ユニット装置３にロック穴９３を形成しても良い。この場合、現金管理装置２が受電部８５を介して電源ユニット装置３からのＤＣ電源の供給を受けると現金管理側制御部２５がロックソレノイド９２の給電を制御してロックを行うことになる。また、現金管理装置２の主電源がオン状態からオフ状態になったことを検出した現金管理側制御部２５がロックソレノイド９２の給電を制御してロック解除を行うことになる。よって、現金管理側制御部２５が同じ現金管理装置２にあるロックソレノイド９２の給電を制御してロック解除を行うため、電源ユニット装置３側に信号を送る必要がなくなる。
【００６７】
また、現金管理装置２が電源ユニット装置３からのＤＣ電源の供給を受けることが可能な上記セット位置にセットされたか否かを検出するセット検出スイッチ８２を現金管理装置２に設け、電源ユニット装置３にローラ８１を設けても良い。この場合、現金管理装置２が上記セット位置にセットされたことをセット検出スイッチ８２が検出しない状態ではＤＣ電源の供給を現金管理装置２が受けることはないため、この検出の待機のためにセット検出スイッチ８２に現金管理装置２の内蔵バッテリ２７で給電を行うことになる。
【００６８】
以上に述べた本実施形態の現金管理装置システム１によれば、現金の入出取引が可能でフロアＦ上を走行移動可能な現金管理装置２が、電源ユニット装置３からのＤＣ電源の供給を受けることが可能な上記セット位置にセットされると、位置固定の電源ユニット装置３のセット検出スイッチ８２がこれを検出する。すると、位置固定の電源ユニット装置３でＡＣ電源から変換したＤＣ電源を電源ユニット装置３の電源側制御部８７が給電部８６を介して、現金管理装置２に給電することになり、これにより、現金管理装置２は現金の入出取引が可能な状態になる。このように、ＡＣ電源をＤＣ電源に変換する電源ユニット装置３を、フロアＦ上を走行移動可能な現金管理装置２とは別にして、位置固定で設けるため、現金管理装置２の電源関連部品の搭載量を減らすことになり、重量増を抑制することができる。よって、現金管理装置２の移動の作業性向上を図ることができる。また、電源関連部品の搭載量を減らすことができるため、現金管理装置２の大きさはそのままで現金の収納量を多くでき、あるいは、現金の収納量はそのままで現金管理装置２を小型化することができる。加えて、移動時に電源コードを抜き差しする必要がなくなり、移動時の手間を軽減できる。
【００６９】
また、現金管理装置２が、電源ユニット装置３からのＤＣ電源の供給を受けることが可能なセット位置にセットされ電源ユニット装置３のセット検出スイッチ８２がこれを検出すると、ロックソレノイド９２が電源ユニット装置３に対して現金管理装置２を移動不可にロックする。よって、不用意に現金管理装置２が移動して電源ユニット装置３の給電部８６からのＤＣ電源の供給が絶たれてしまうことを抑制できる。したがって、現金管理装置２によって安全に現金を管理することができる。
【００７０】
また、現金管理装置２の主電源がオン状態からオフ状態になったことを現金管理側制御部２５が操作入力部１６の主電源オンスイッチ１９および操作端末装置１８のタッチパネル式操作表示部２０の操作に基づいて検出すると、ロックソレノイド９２が電源ユニット装置３に対する現金管理装置２のロックを解除する。よって、主電源のオン中はロック状態が維持されて、不用意に現金管理装置２が移動して電源ユニット装置３の給電部８６からのＤＣ電源の供給が絶たれてしまうことを抑制できる。したがって、現金管理装置２によって安全に現金を管理することができる。
【符号の説明】
【００７１】
１  現金管理装置システム
２  現金管理装置
３  電源ユニット装置
２５  現金管理側制御部（主電源状態検出手段）
８２  セット検出スイッチ（セット検出手段）
８６  給電部（電源供給手段）
８７  電源側制御部（電源供給手段）
９２  ロックソレノイド（ロック手段）
Ｆ  フロア
【図１】
0006522955.tif 000002
【図２】
0006522955.tif 000003
【図３】
0006522955.tif 000004
【図４】
0006522955.tif 000005
【図５】
0006522955.tif 000006
【図６】
0006522955.tif 000007